(57)【要約】【課題】板状に形成しても、捩れ等の変形を来たすことがないようにし、又取付作業や位置決め作業を簡単化、迅速化できるようにする。【解決手段】洗い場パン１の床面１ａを脱衣室３の床面３ａとほぼ同じ高さに形成している浴室のドア下枠であって、ドア２との係合部４を有して板状に形成する。洗い場パン１の床面１ａに重ね合わせる下面７に、洗い場パン１の脱衣室３側の側端部１ｂに嵌め付けるための嵌め付け部８を鉤形に形成する。【選択図】      図１
2004162316.tif 000002
【特許請求の範囲】
【請求項１】
洗い場パンの床面が脱衣室の床面とほぼ同じ高さに形成されている浴室のドア下枠であって、ドアとの係合部を有して板状に形成され、洗い場パンの床面に重ね合わされる下面に、洗い場パンの脱衣室側の側端部に嵌め付けるための嵌め付け部が鉤形に形成されていることを特徴とする浴室のドア下枠。
【請求項２】
請求項１記載の浴室のドア下枠であって、係合部が縦断面略Ω形の孔開きレール状に形成されていることを特徴とする浴室のドア下枠。
【請求項３】
請求項１記載の浴室のドア下枠であって、係合部がレール状に形成され、この係合部が戸車の蟻溝形環状溝と係合する蟻形に形成されていることを特徴とする浴室のドア下枠。
【請求項４】
洗い場パンの床面が脱衣室の床面とほぼ同じ高さに形成されている浴室のドア下枠であって、ドアとの係合部を有して板状に形成されている上面部と、洗い場パンの立ち下げ壁に当接させるため上面部の片側に上面部と直交状に形成されている側面部と、この側面部の下端と上面部の脱衣室側との間に傾斜状に形成されている傾斜面部とでなる縦断面略直角三角形状の枠部を備えて形成されていることを特徴とする浴室のドア下枠。
【請求項５】
請求項４記載の浴室のドア下枠であって、洗い場パンの立ち下げ壁に側面部をネジ止めするため、ネジ止め作業用の開口部が傾斜面部に形成されていることを特徴とする浴室のドア下枠。
【請求項６】
請求項１乃至５の何れかに記載の浴室のドア下枠であって、ドアの縦枠が嵌め付けられるベース部材を両端部に起立状に備えて形成されていることを特徴とする浴室のドア下枠。
【請求項７】
洗い場パンの床面が脱衣室の床面とほぼ同じ高さに形成されている浴室のドア下枠であって、ドアの戸車と係合するレール状係合部を有して板状に形成され、この係合部が戸車の蟻溝形環状溝と係合する蟻形に形成されていることを特徴とする浴室のドア下枠。
【発明の詳細な説明】
【０００１】
【発明の属する技術分野】
本発明は、浴室のドア下枠に関し、更に詳しくは洗い場パンの床面を脱衣室の床面とほぼ同じ高さに形成し、両床面間の段差を解消したバリアフリー浴室の出入口部に設置するドア下枠に関するものである。
【０００２】
【従来の技術】
従来この種の浴室のドア下枠としては、例えば排水溝を兼用するよう樋形状に形成されているものがある（例えば特許文献１参照）。
又この種の浴室の出入口構造としては、ドア下枠を板状に形成して平面化し、洗い場パンの延長部に重ね合わせて水密状に設けることを内容とする、本出願人の提案に係る先行事例がある（未公開特許出願１参照）。
【０００３】
【特許文献１】
特開２０００ー８７１６号公報
【未公開特許出願１】
特願２００１ー１６０７８５号
【０００４】
【発明が解決しようとする課題】
特許文献１に記載のドア下枠の場合は、上記の通り、樋形状に形成されているため、ドア下枠の構造や形態が複雑化し、構成部品数の増加を招き、コストが割り高になり、又シールド箇所が増えて施工に手間暇がかかり易かった。又この従来品の場合は、樋形状のため設置高さを大きく取られ、その分、ドアの高さや天井の高さが低く抑えられることになる、という問題があった。
そこで本出願人は、これらの問題を解決できるよう、未公開特許出願１に記載の発明を提案した。しかしながらこの提案に係るドア下枠は、板状に形成されているため、外力の作用を受けて捩れや歪み等の変形を来たす惧れがあった。又これによると、洗い場パンの上に重ね合わせたとき位置ずれし、ネジ孔を合わせにくくなる等、取付作業や位置決め作業がしにくい、という不便があった。
【０００５】
本発明は、このような従来技術の問題点に鑑み、提案されたものである。
従って本発明の技術的課題は、板状に形成したドア下枠であって、捩れ等の変形を来たすことを防止でき、又取付作業や位置決め作業を簡単化、迅速化できるよう形成した浴室のドア下枠を提供することにある。
【０００６】
【課題を解決するための手段】
本発明は、上記の課題を解決するために、次のような技術的手段を採る。
【０００７】
即ち本発明は、図１等に示されるように、洗い場パン１の床面１ａが脱衣室３の床面３ａとほぼ同じ高さに形成されている浴室のドア下枠であって、ドア２との係合部４を有して板状に形成され、洗い場パン１の床面１ａに重ね合わされる下面７に、洗い場パン１の脱衣室３側の側端部１ｂに嵌め付けるための嵌め付け部８が鉤形に形成されていることを特徴とする（請求項１）。
【０００８】
本発明の場合、ドア２は、開き戸に限定されるものではなく、引き戸や折れ戸等が含まれる。又ここで、ドア２との係合部４とは、ドア２が引き戸や折れ戸の場合はドア２を案内するレールを、又ドア２が開き戸の場合はドア２の下部を当接させたり、下部に取り付けたパッキンを入り込ませたり、係止させる箇所を意味する。又ここで、板状に形成され、とは、床下に出っ張ることなく、しかも出入時に段差を感じさせない程度に平たく薄い状態に形成されている、ということを意味する。又鉤形に形成されている、とは、嵌め付け部８が下面７との間でコの字形の嵌め込み口を形作るよう形成されている、ということを意味する。
【０００９】
而して本発明の場合、係合部４は、図３等に示されるように、縦断面略Ω形の孔開きレール状に形成されているのが好ましい（請求項２）。
【００１０】
なぜならこれによると、係合部４にドア２の案内機能と、ネジ止め孔としての機能を持たせることができ、ドア下枠を平板状に薄くしても、従来通り、側方から容易にネジ止めできるからである。
【００１１】
又本発明は、図５等に示されるように、係合部４がレール状に形成され、この係合部４が戸車１１の蟻溝形環状溝１２と係合する蟻形に形成されているのが好ましい（請求項３）。
【００１２】
なぜならこれによると、係合部４の高さＨ１が低い場合でも、戸車１１と係合部４にかかりがあるため、戸車１１の脱輪を防止でき、側方からの衝撃でドア２が外れることを防止できるからである。
【００１３】
又本発明の捩れ防止の課題を達成する他の構成としては、図７に示されるものがある。即ちこの本発明品は、洗い場パン１の床面１ａが脱衣室３の床面３ａとほぼ同じ高さに形成されている浴室のドア下枠であって、ドア２との係合部４を有して板状に形成されている上面部１３と、洗い場パン１の立ち下げ壁１ｃに当接させるため上面部１３の片側に上面部１３と直交状に形成されている側面部１４と、この側面部１４の下端と上面部１３の脱衣室３側との間に傾斜状に形成されている傾斜面部１５とでなる縦断面略直角三角形状の枠部１６を備えて形成されていることを特徴とする（請求項４）。
【００１４】
ここで、ドア２及び係合部４の意味は、上例の場合と同様である。側面部１４の高さは任意であるが、床下の高さを大きくとることがないよう、例えば３０〜５０ｍｍ程度に選定される。
【００１５】
この本発明の場合は、洗い場パン１の立ち下げ壁１ｃに側面部１４をネジ止めするため、ネジ止め作業用の開口部１７が傾斜面部１５に形成されているのが好ましい（請求項５）。
【００１６】
なぜならこれによると、捩れ等の変形に耐える強度を有しながら、洗い場パン１の立ち下げ壁１ｃに固定する作業を側方から容易にできるからである。本発明の場合、開口部１７の大きさ、形状、位置等は任意である。
【００１７】
又本発明の場合は、図８、図９に示されるように、ドア２の縦枠９が嵌め付けられるベース部材２０を両端部に起立状に備えて形成されているのが好ましい（請求項６）。
【００１８】
なぜならこれによると、ベース部材２０に嵌め込むことで縦枠９を立設でき、縦枠９の設置作業を容易化できるからである。
【００１９】
ところでこの種のバリアフリー浴室の場合、出入口のレールは段差を感じさせない程度に形成する必要があるため、その高さは例えば３ｍｍ程度に選定されるのが通例である。そのため従来この種の浴室のドア下枠は、側方から大きな衝撃が加わると戸車を脱輪させ、ドア２としての引き戸がレールから外れ易いものであった。
而してこの種の問題を解決できるドア下枠としては、例えば図５、図６に示されるものがある。即ちこの本発明品は、洗い場パン１の床面１ａが脱衣室３の床面３ａとほぼ同じ高さに形成されている浴室のドア下枠であって、ドア２の戸車１１と係合するレール状係合部４を有して板状に形成され、この係合部４が戸車１１の蟻溝形環状溝１２と係合する蟻形に形成されていることを特徴とする（請求項７）。
【００２０】
【発明の実施の形態】
以下、本発明の好適な一実施形態を添付図面に従って説明する。
【００２１】
図１等において、１は洗い場パンであり、１ａはこの洗い場パン１の床面１ａである。この洗い場パン１の床面１ａは、ドア２としての引き戸の配設位置まで延長されている。本発明品は、洗い場パン１の床面１ａが脱衣室３の床面３ａとほぼ同じ高さに形成されている、いわゆるバリアフリー浴室の出入口に設けられるものである。
【００２２】
本発明品は、図示されるように、ドア２との係合部４を有して板状に形成されている。係合部４は、この実施形態ではドア２が引き戸のため、レール状に形成されている。５はドア２の下部外面に密着する防水パッキンであり、６はこの防水パッキン５の取付部である。本発明品は、この取付部６に、防水パッキン５が浴室出入口の横方向の全長にわたって起立状に且つ脱着自在に取り付けられている。
【００２３】
又本発明品は、洗い場パン１の床面１ａに重ね合わされる下面７に、洗い場パン１の脱衣室３側の側端部１ｂに嵌め付けるための嵌め付け部８が、鉤形に形成されている。この嵌め付け部８は、下面７とコの字状に形作られている。
【００２４】
次に本発明のドア下枠の施工例を説明する。
【００２５】
先ず作業者は、図２に示されるように、洗い場パン１の脱衣室３側の側端部１ｂに、嵌め付け部８を嵌め付け、本発明品を洗い場パン１に取り付ける。次に作業者は、本発明品を介して洗い場パン１と脱衣室３とが連接するよう洗い場パン１を設置する。本発明品は、下面７が洗い場パン１の床面１ａに重ね合わされ、嵌め付け部８を介して洗い場パン１に固定されているから、設置時や設置後に捩れや歪み等の変形を来たすことがない。
【００２６】
以上の処において、本発明は、図３、図４に示されるように、係合部４が縦断面略Ω形の孔開きレール状に、例えば一体成形により形成されているのでも良い。この係合部４の両端には、ドア２の縦枠９が側方からネジ１０で取り付けられる。
【００２７】
又本発明は、図５等に示されるように、係合部４がレール状に形成され、この係合部４が戸車１１の蟻溝形環状溝１２と係合する蟻形に形成されているのでも良い。同図において、Ｈ１は係合部４の高さであり、この実施形態では３ｍｍに選定されている。又Ｈ２は環状溝１２の深さ（係合部４と戸車１１とのかかりの間隔）を示し、２ｍｍに選定されている。戸車１１は、この実施形態では図６に示されるように、係合部４の上面の幅より幾分幅広に形成されている中央の円形板１１ａと、その両側に円形板１１ａと同心状に取り付けられる左右一対の円形側板１１ｂとでサンドイッチ状に形成されている。ドア２は、戸車１１を組立てるとき戸車１１を係合部４に係合させることにより、本発明品に取り付けられる。
【００２８】
次に請求項４記載の本発明の好適な一実施形態を、図７等に従って説明する。
上例と同一部材、同一箇所については同一の符号を付し、詳しい説明は省略する。
【００２９】
この本発明は、上例と同様、洗い場パン１の床面１ａが脱衣室３の床面３ａとほぼ同じ高さに形成されている浴室の出入口に設けられるものである。１３は、ドア２との係合部４を有して板状に形成されている上面部である。又１４は、洗い場パン１の立ち下げ壁１ｃに当接させるため上面部１３の片側に上面部１３と直交状に形成されている側面部である。又１５は、この側面部１４の下端と上面部１３の脱衣室３側との間に傾斜状に形成されている傾斜面部である。本発明品は、このような上面部１３、側面部１４、傾斜面部１５とでなる縦断面略直角三角形状の枠部１６を備えて形成されている。
【００３０】
１７は、ネジ止め作業用の開口部である。この開口部１７は、洗い場パン１の立ち下げ壁１ｃに側面部１４をネジ止めするためのものであり、傾斜面部１５の適宜位置に形成されている。１８は、止水部材としてのパッキンである。この実施形態の本発明品は、側面部１４が止水部材１８を介して洗い場パン１の立ち下げ壁１ｃにネジ止めされ、脱衣室３側の延長部１９は、脱衣室３の床面３ａに載置されると共に、その適宜箇所がネジ止めされることにより設置される。
【００３１】
又２０（図８、図９参照）は、ドア２の縦枠９が嵌め付けられるベース部材である。このベース部材２０は、ドア下枠の両端部に、下端の板片部２０ａがネジ１０で止め付けられることにより起立状に設けられている。ベース部材２０の上端２０ｂは、例えば凸形状に形成され、縦枠９の開口状の下端９ａが嵌め込まれると、縦枠９とベース部材２０の表面が面一になるよう形成されている。なおベース部材２０は、この実施形態では工場内でドア下枠と共に予め洗い場パン１に取り付けられるものである。而してこの本発明の場合は、図９に示されるように、ドア２の縦枠９をベース部材２０に上方から嵌め付けることにより、簡単、迅速に施工できる。
【００３２】
次に請求項７記載の本発明の好適な一実施形態を、図５、図６に従って説明する。上例と同一部材、同一箇所については同一の符号を付し、詳しい説明は省略する。
【００３３】
この本発明は、洗い場パン１の床面１ａが脱衣室３の床面３ａとほぼ同じ高さに形成されている浴室のドア下枠であって、ドア２の戸車１１と係合するレール状係合部４を有して板状に形成され、この係合部４が戸車１１の蟻溝形環状溝１２と係合する蟻形に形成されている。レール状係合部４の高さＨ１は３ｍｍ、環状溝１２の深さＨ２（レール状係合部４と戸車１１とのかかりの間隔）は２ｍｍに選定されている。戸車１１は、例えば図６に示されるように、係合部４の上面の幅より幾分幅広に形成されている中央の円形板１１ａと、その両側に円形板１１ａと同心状に取り付けられる左右一対の円形側板１１ｂとでサンドイッチ状に形成されている。ドア２は、戸車１１を組立てるときに戸車１１を係合部４に係合させることにより、本発明品に取り付けられる。
【００３４】
【発明の効果】
以上説明したように本発明品は、洗い場パンの脱衣室側の側端部に嵌め付け部を嵌め付けて洗い場パンと一体状に固定できるから、これによると捩れ等の変形を来たすことがない。又本発明の場合は、嵌め付け部を洗い場パンの側端部に嵌め付けることで、ぶれたりずれたりすることなく施工できるから、ネジ孔等を合わせ易くなり、取付作業や位置決め作業を簡単化、迅速化できる。
又請求項４記載の本発明の場合は、三角形状の枠部を備えてなるから、捩れ等の変形を来たすことがない。
又請求項７記載の本発明の場合は、レールと戸車とにかかりがあり、レールが戸車にくわえ込まれるから、これによると側方から大きな衝撃を受けてもドアの外れを防止できる。
【図面の簡単な説明】
【図１】本発明のドア下枠の好適な一実施形態を示す一部を切欠した要部縦断面図である。
【図２】同上ドア下枠の作用を説明するための一部を切欠した要部斜視図である。
【図３】同上ドア下枠の他の実施形態を示す一部を切欠した要部斜視図である。
【図４】図３の実施形態の要部縦断面図である。
【図５】レールが蟻形に形成されている場合の一部を切欠した要部縦断面図である。
【図６】図５の実施形態の要部縦断面図である。
【図７】同上ドア下枠の他の構成例を示す一部を切欠した要部斜視図である。
【図８】図７の本発明の他の実施形態を示す一部を切欠した要部斜視図である。
【図９】図８の本発明の施工例を説明するための一部を切欠した要部斜視図である。
【符号の説明】
１    洗い場パン
１ａ  床面
１ｂ  側端部
２    ドア
３    脱衣室
３ａ  床面
４    係合部
７    下面
８    嵌め付け部
【図１】
2004162316.tif 000003
【図２】
2004162316.tif 000004
【図３】
2004162316.tif 000005
【図４】
2004162316.tif 000006
【図５】
2004162316.tif 000007
【図６】
2004162316.tif 000008
【図７】
2004162316.tif 000009
【図８】
2004162316.tif 000010
【図９】
2004162316.tif 000011